(57)【要約】【課題】デジタルカメラで撮影した画像をプリントする際の利便性を向上させる。【解決手段】画像ファイル抽出ボタン４０は、デジタルカメラ２をＰＣ６０に接続した際に、これを押圧操作することで、ＣＰＵ１２で各画像データについてＤＰＯＦ設定の有無が検出され、ＤＰＯＦ設定された画像ファイルのみがメモリカード３３から選択的に抽出されてＰＣ６０に送信される。画像ファイル分類プログラム６２は、メモリ６１に取り込まれた画像ファイルを所定の判断基準、例えば（ａ）に示す画像を撮影した日時順、（ｂ）に示す設定したプリント枚数の多い順、（ｃ）に示すプリントする画像の画素数の大きい順に分類する。【選択図】        図３
2004180152.tif 000002
【特許請求の範囲】
【請求項１】
撮影した画像のプリント設定が可能なデジタルカメラから画像ファイルを取り込んで画像を管理する画像管理システムにおいて、
前記プリント設定された画像ファイルのみを、前記デジタルカメラから選択的に抽出する画像ファイル抽出手段と、
抽出後のプリント設定された画像ファイルを、所定の判断基準に基づいて分類する画像ファイル分類手段とを備えたことを特徴とする画像管理システム。
【請求項２】
前記所定の判断基準は、画像を撮影した日時、プリント枚数、プリントする画像の画素数のうちのいずれかであることを特徴とする請求項１に記載の画像管理システム。
【発明の詳細な説明】
【０００１】
【発明の属する技術分野】
本発明は、撮影した画像のプリント設定が可能なデジタルカメラから画像ファイルを取り込んで画像を管理する画像管理システムに関する。
【０００２】
【従来の技術】
ＣＣＤイメージセンサなどで撮像した被写体画像をデジタルの画像データに変換し、内蔵メモリやメモリカードなどの記憶媒体に保存するデジタルカメラが普及している。最近では、デジタルカメラで撮影した画像をカメラ本体に設けられた液晶表示器で鑑賞するだけでなく、家庭用のプリンタでプリントしたり、街頭のラボにプリント注文を行い、写真フイルムと同様のプリントサービスを受けることが多くなってきている。
【０００３】
上記のような事情を考慮して、プリントサービスの利便性を図るために、ＤＰＯＦ（Ｄｉｇｉｔａｌ  Ｐｒｉｎｔ  Ｏｒｄｅｒ  Ｆｏｒｍａｔ）と呼ばれる規格が発表されている。このＤＰＯＦ規格は、プリントサイズ、プリント枚数、トリミング、撮影日印刷の有無などの各種プリント情報を、デジタルデータとして画像データとともに記憶媒体に保存するものである。
【０００４】
ＤＰＯＦ規格に関する先行技術としては、ＤＰＯＦ設定された画像ファイルが誤って消去されないようにしたデジタルカメラ（特許文献１参照）や、ＤＰＯＦ設定された画像ファイルが保存されたデジタルカメラをパソコンに接続することで、パソコンで操作をすることなくプリンタで印刷することが可能な画像印刷システム（特許文献２および３参照）などがある。
【０００５】
【特許文献１】
特開２０００−２９５５６２号公報
【特許文献２】
特開２００１−２３８１０５号公報
【特許文献３】
特開２００１−２３８１５６号公報
【０００６】
【発明が解決しようとする課題】
ところで、メモリカードなどの記憶媒体の容量は年々増加の傾向にあり、これに伴って保存される画像データも膨大な量となることが予想される。したがって、画像をプリントする利便性を向上させるためには、ＤＰＯＦ設定された画像ファイルを分かりやすく分類・管理することが必要となる。しかしながら、特許文献１〜３には、ＤＰＯＦ設定された画像ファイルの管理や分類について一切言及されておらず、例えば、ある程度画像ファイルをストックしておいてから印刷する、ストックしてからさらに分類を行うなどの処理を施すことができない。
【０００７】
本発明は、デジタルカメラで撮影した画像をプリントする際の利便性を向上させることができる画像管理システムを提供することを目的とする。
【０００８】
【課題を解決するための手段】
上記目的を達成するために、本発明は、撮影した画像のプリント設定が可能なデジタルカメラから画像ファイルを取り込んで画像を管理する画像管理システムにおいて、前記プリント設定された画像ファイルのみを、前記デジタルカメラから選択的に抽出する画像ファイル抽出手段と、抽出後のプリント設定された画像ファイルを、所定の判断基準に基づいて分類する画像ファイル分類手段とを備えたことを特徴とする。
【０００９】
なお、前記所定の判断基準は、画像を撮影した日時、プリント枚数、プリントする画像の画素数のうちのいずれかであることが好ましい。
【００１０】
【発明の実施の形態】
図１は、デジタルカメラの電気的構成を示すブロック図である。デジタルカメラ２は、撮像レンズ１０、ＣＣＤイメージセンサ（ＣＣＤ）１１、ＣＰＵ１２、および液晶表示器（ＬＣＤ）１３などから構成される。撮像レンズ１０には、ズームモータ１４と、アイリスモータ１５と、フォーカスモータ１６とが接続されている。これらのモータ１４〜１６は、ＣＰＵ１２に接続された第１〜第３モータドライバ１７〜１９を介して駆動制御され、レリーズボタン２０の１回目の押圧操作により撮影準備処理を行う。
【００１１】
ズームモータ１４は、ズームレンズをワイド側、あるいはテレ側に動作させ、撮像レンズ１０のズーミングを行う。また、アイリスモータ１５およびフォーカスモータ１６は、図示しないアイリスおよびフォーカスレンズを動作させ、撮影条件が最適となるように撮像レンズ１０の露光調整、焦点調整を行う。
【００１２】
撮像レンズ１０の背後には、レリーズボタン２０の２回目の押圧操作により、第４モータドライバ２１およびシャッタモータ２２を介して開閉動作されるメカシャッタ２３が配置されている。このメカシャッタ２３の背後には、撮像レンズ１０を透過した被写体光が撮像されるＣＣＤ１１が配置されている。第４モータドライバ２１およびＣＣＤ１１には、ＣＰＵ１２によって制御されるタイミングジェネレータ２４が接続され、このタイミングジェネレータ２４からタイミング信号（クロックパルス）が入力される。ＣＣＤ１１から出力された撮像信号は、相関二重サンプリング回路（ＣＤＳ）２５に入力され、ＣＣＤ１１の各セルの蓄積電荷量に正確に対応したＲ、Ｇ、Ｂの画像データとして出力される。ＣＤＳ２５から出力された画像データは、増幅器（ＡＭＰ）２６で増幅され、Ａ／Ｄ変換器２７でデジタルデータに変換される。
【００１３】
画像入力コントローラ２８は、データバス２９を介してＣＰＵ１２に接続され、ＣＰＵ１２の制御命令に応じてＣＣＤ１１、ＣＤＳ２５、ＡＭＰ２６、およびＡ／Ｄ変換器２７を制御する。Ａ／Ｄ変換器２７から出力された画像データは、ＬＣＤドライバ３０を介してＬＣＤ１３に表示される。または、図示しない光学ファインダドライバを介して光学ファインダに表示される。あるいは、内蔵メモリ３１に保存される。内蔵メモリ３１に保存された画像データは、メディアコントローラ３２を介してメモリカード３３に記録される。
【００１４】
画像信号処理回路３４は、階調変換、色変換、ハイパートーン処理、ハイパーシャープネス処理などの各種画像処理を画像データに施す。圧縮処理回路３５は、デジタルカメラ２を外部Ｉ／Ｆ３６を介して外部機器に接続して、撮像された画像データを転送する際に、画像データを所定のファイル形式（例えばＪＰＥＧ形式）に圧縮する。
【００１５】
データバス２９には、撮像レンズ１０の焦点調整が撮影に適切か否かを検出するＡＦ検出回路３７と、撮像レンズ１０の露光調整およびホワイトバランス補正が撮影に適切か否かを検出するＡＥ／ＡＷＢ検出回路３８が接続されている。これらの検出回路３７、３８は、レリーズボタン２０の１回目の押圧操作で撮影準備処理が行われた後、データバス２９を介してＣＰＵ１２に検出結果を送信する。
【００１６】
操作部３９は、電源のオン／オフ切替えを行う電源ボタン、撮像レンズ１０のズームレンズをワイド側、テレ側に変倍するズーム操作ボタン、各種モードを選択するモード切替えスイッチ、およびＬＣＤ１３に表示されるメニュー画面内でカーソルを移動させるカーソル操作板などからなる。
【００１７】
デジタルカメラ２では、通常の撮影を行う通常撮影モード、撮影した画像をＬＣＤ１３に表示する再生モード、および各種設定を行うセットアップモードなどが選択可能となっている。また、デジタルカメラ２では、再生モードに設定した状態で、メモリカード３３に保存された各画像データに対して、ＤＰＯＦ設定を行うことが可能となっている。
【００１８】
ＣＰＵ１２には、画像ファイル抽出ボタン４０が接続されている。外部Ｉ／Ｆ３６を介してデジタルカメラ２をパーソナルコンピュータ（ＰＣ）６０（図３参照）に接続した際に、この画像ファイル抽出ボタン４０を押圧操作すると、ＣＰＵ１２で各画像データについてＤＰＯＦ設定の有無が検出され、ＤＰＯＦ設定された画像ファイルのみがメモリカード３３から選択的に抽出されてＰＣ６０に送信される。なお、画像ファイルを抽出する手段としては、上記画像ファイル抽出ボタン４０に限らず、ＤＰＯＦ設定された画像ファイルのみを選択的に抽出するプログラムを、デジタルカメラ２またはＰＣ６０に予めダウンロードしておき、デジタルカメラ２とＰＣ６０とを接続した際に、自動的にＤＰＯＦ設定された画像ファイルを抽出するようにしてもよい。
【００１９】
図２に示すように、メモリカード３３に記録されるファイルは、ルートディレクトリ（Ｒｏｏｔ）の下に、「ＩＭ＿１」、「ＩＭ＿２」、・・・、「ＩＭ＿ｎ」および「ＭＩＳＣ」のサブディレクトリがそれぞれ作成されたディレクトリ構造を有する。サブディレクトリ「ＩＭ＿１」〜「ＩＭ＿ｎ」には、撮影した各画像の画像データが書き込まれた画像ファイル５０＿１〜５０＿ｎが１画面毎に記録され、サブディレクトリ「ＭＩＳＣ」にはＤＰＯＦファイル５１が記録される。
【００２０】
画像ファイル５０は、画像信号処理回路３４などで所定の信号処理が行われた本画像データ５０ａと、この本画像データ５０ａに対応する画像付帯情報５０ｂとから構成される。画像付帯情報５０ｂとしては、撮影日時、撮影者、撮影場所、撮影条件（露光条件、シャッタースピードなど）、デジタルカメラ２のＩＤ番号などが挙げられる。画像付帯情報５０ｂは、撮影前に設定した情報に基づいて、撮影した被写体画像の本画像データ５０ａをメモリカード３３に記録する際に自動的に記録されるほか、撮影後に操作部３９を操作することによって、ユーザーが手動で記録することができる。
【００２１】
ＤＰＯＦファイル５１は、自動プリントファイル５１ａ、自動送信ファイル５１ｂ、自動再生ファイル５１ｃなどから構成される。自動プリントファイル５１ａには、プリントしたい画像のＩＤ（アドレス）や、そのプリント条件（プリントサイズ、プリント枚数、トリミング、撮影日印刷の有無など）が書き込まれている。自動送信ファイル５１ｂには、画像やメッセージなどをインターネットやＦＡＸなどに送信するために必要な情報、自動再生ファイル５１ｃには、動画ファイルや音声データを再生するために必要な情報がそれぞれ書き込まれている。
【００２２】
図３に示すように、デジタルカメラ２をＰＣ６０に接続して、画像ファイル抽出ボタン４０を押圧操作すると、メモリカード３３に記録された画像ファイル５０＿１〜５０＿８のうち、ＤＰＯＦ設定された画像ファイル（この場合は太枠で示す５０＿１、５０＿３、５０＿５〜５０＿７）が選択的に抽出され、ＰＣ６０のメモリ６１に取り込まれる。
【００２３】
画像ファイル分類プログラム６２は、メモリ６１に取り込まれた画像ファイルを所定の判断基準、例えば（ａ）に示す画像を撮影した日時順、（ｂ）に示す設定したプリント枚数の多い順、（ｃ）に示すプリントする画像の画素数の大きい順に分類する。この分類された画像ファイルは、ＰＣ６０のモニタ上で閲覧することが可能である。このようにすると、プリントする画像ファイルの優先度が一目瞭然となり、プリントするか否かを簡単に判断することができる。なお、プリント枚数を分類の判断基準とする場合は、枚数の少ない順に分類してもよい。また、画像を撮影した日時を判断基準の標準設定とし、プリント枚数、プリントする画像の画素数で分類する場合には、ユーザーがＰＣ６０を操作することにより行う。
【００２４】
なお、ＤＰＯＦ設定された画像ファイルの抽出後、ＤＰＯＦ設定されていない画像ファイルをメモリカード３３から自動的に消去するようにしてもよい。このようにすると、メモリカード３３にはプリントしたい重要度の高い画像ファイルのみが残るので、メモリカード３３に記録された画像ファイルを消去する際の取捨選択の手間を省くことができる。
【００２５】
【発明の効果】
以上のように、本発明の画像管理システムによれば、プリント設定された画像ファイルのみを、デジタルカメラから選択的に抽出する画像ファイル抽出手段と、抽出後のプリント設定された画像ファイルを、所定の判断基準に基づいて分類する画像ファイル分類手段とを備えたので、デジタルカメラで撮影した画像をプリントする際の利便性を向上させることができる。
【図面の簡単な説明】
【図１】デジタルカメラの電気的構成を示すブロック図である。
【図２】メモリカードに記録されるファイルのディレクトリ構成を示す図である。
【図３】ＤＰＯＦ設定された画像ファイルを管理する手順を示す図である。
【符号の説明】
２  デジタルカメラ
１０  撮像レンズ
１２  ＣＰＵ
１３  液晶表示器（ＬＣＤ）
２０  レリーズボタン
３１  内蔵メモリ
３３  メモリカード
３９  操作部
４０  画像ファイル抽出ボタン
５０  画像ファイル
５１  ＤＰＯＦファイル
５１ａ  自動プリントファイル
６０  パーソナルコンピュータ（ＰＣ）
６２  画像ファイル分類プログラム
【図１】
2004180152.tif 000003
【図２】
2004180152.tif 000004
【図３】
2004180152.tif 000005